(57)【要約】【課題】安全で、他の運動を行いながら使用することができ、さらに、使用者の体温を奪うことがなく、しかも、多様な使用方法のある健康器具を提供すること。【解決手段】この考案の健康器具は、手で握って、あるいは身体の適宜部位に接触させて使用されるようにした弾力性のある健康器具であって、円筒状体の外周に、遠赤外線放射機能を有する外装シート２を装着したものとしている。円筒状体と外装シート２の間にクッション材が設けられたものとすることができる。円筒状体は塩化ビニール製とし、外装シート２は、不織布シートに、遠赤外線放射機能とともに抗菌、脱臭機能をも有する無機粉体を担持させたものとすることができる。また、端部に光反射材４を設けたものとすることができる。【選択図】  図５
0003121026.tif 000002
【実用新案登録請求の範囲】
【請求項１】
手で握って、あるいは身体の適宜部位に接触させて使用されるようにした弾力性のある健康器具であって、円筒状体（１）の外周に、遠赤外線放射機能を有する外装シート（２）を装着していることを特徴とする健康器具。
【請求項２】
円筒状体（１）と外装シート（２）の間にクッション材（３）が設けられている請求項１記載の健康器具。
【請求項３】
円筒状体（１）が、塩化ビニール製である請求項１又は２記載の健康器具。
【請求項４】
外装シート（２）が、不織布シートに、遠赤外線放射機能とともに抗菌、脱臭機能をも有する無機粉体を担持させたものである請求項１、２又は３記載の健康器具。
【請求項５】
端部に光反射材（４）を設けている請求項１、２、３又は４記載の健康器具。
【考案の詳細な説明】
【技術分野】
【０００１】
この考案は、健康増進のために、手で握って、あるいは身体の適宜部位に接触させて使用される健康器具に関するものである。
【背景技術】
【０００２】
従来、健康増進のため、手で握ったりして使用する器具としては、鉄アレイのような金属製の重量のあるものが使用されている（例えば特許文献１参照）。このような器具は、握力や腕の筋力を高めるのに効果はあるが、振り回したり、使用中に落下したりすると危険であり、また、腕にかかる負担が大きいので、ジョギングなどの他の運動を行いながら使用するには適さないものであった。
【０００３】
さらに、金属製であるため、気温の低い状況下ではそれ自体が冷えた状態になり、手で握っているうちに体温が奪われ、かえって健康を損なうことになりかねなかった。
【０００４】
しかも、鉄アレイは両側の球状部分の間に手で握る細い部分が設けられた構成であり、手で握って使用する以外に用途がなく、使用方法が極めて限定されていた。
【特許文献１】特開平６−２５４１７７号公報
【考案の開示】
【考案が解決しようとする課題】
【０００５】
そこで、この考案は、安全で、他の運動を行いながら使用することができ、さらに、使用者の体温を奪うことがなく、しかも、多様な使用方法のある健康器具を提供することを課題とする。
【課題を解決するための手段】
【０００６】
前記課題を解決するため、この考案は次のような技術的手段を講じている。
【０００７】
この考案の健康器具は、手で握って、あるいは身体の適宜部位に接触させて使用されるようにした弾力性のある健康器具であって、円筒状体１の外周に、遠赤外線放射機能を有する外装シート２を装着したものとしている。
【０００８】
円筒状体１と外装シート２の間にクッション材３が設けられたものとすることができる。
【０００９】
円筒状体１は、塩化ビニール製とすることができる。
【００１０】
外装シート２は、不織布シートに、遠赤外線放射機能とともに抗菌、脱臭機能をも有する無機粉体を担持させたものとすることができる。
【００１１】
また、端部に、光反射材４を設けたものとすることができる。
【考案の効果】
【００１２】
この考案の健康器具は、上述のような構成を有しており、鉄アレイに比べてはるかに軽量であるため、安全で、他の運動を行いながら使用することができ、さらに、遠赤外線放射機能を有する外装シート２により、使用者の体温を奪うことがなく、しかも、手で握る以外にも、身体の適宜部位に接触させて使用することができるので、多様な使用方法がある。
【００１３】
円筒状体１と外装シート２の間にクッション材３が設けられたものとすれば、より弾力性に富んだものとなり、効果的に握る運動を行うことができる。
【００１４】
円筒状体１を塩化ビニール製とすれば、廃材となった塩化ビニール製のパイプを利用することができるので、省資源・環境対策にも役立つものとなる。
【００１５】
外装シート２を、不織布シートに、遠赤外線放射機能とともに抗菌、脱臭機能をも有する無機粉体を担持させたものとすれば、清潔かつ快適に使用することができる。
【００１６】
また、端部に光反射材４を設けたものとすれば、夜間に屋外で使用する場合、自動車のライトや街灯に光反射材４が反射し、目立つので、交通事故等の防止に役立つ。
【考案を実施するための最良の形態】
【００１７】
以下、この考案の実施の好適な形態を、図面を参照して説明する。
【００１８】
図１はこの考案の実施形態の健康器具の斜視図、図２は左側面図、図３はこの健康器具を構成する部材の説明図、図４はこの健康器具の作製工程において外装シート２を装着する前の状態を示す斜視図、図５はこの健康器具の使用状態を示す斜視図である。
【００１９】
この健康器具は、手で握って、あるいは身体の適宜部位に接触させて使用されるようにした弾力性のある健康器具であって、円筒状体１の外周に、遠赤外線放射機能を有する外装シート２を装着したものとしている。
【００２０】
図３に示したように、この健康器具は、円筒状体１、外装シート２、クッション材３、及び光反射材４から構成されている。円筒状体１は、合成樹脂、竹、木材等を素材とすることができる。円筒状体１は、軽量で弾力性のあるものが望ましい。例えば、建築工事等において廃材となった塩化ビニール製のパイプをこの円筒状体１として利用することができる。
【００２１】
円筒状体１の大きさは、長さ８ｃｍ〜１５ｃｍ、直径２ｃｍ〜４ｃｍ程度とするとよいが、これに限定されない。また、円筒状体１の内部に砂を入れて重みをつけたり、鈴を入れて使用中に音が鳴ることにより使用者の手に振動を与えられるようにしたりしてもよい。
【００２２】
外装シート２は、不織布シートに無機粉体を担持させたものとしている。外装シート２の大きさは、円筒状体１の周面を一周して２ｃｍくらい余る程度とするとよい。
【００２３】
外装シート２としては、例えば株式会社ヘイワ原紙が製造販売している靴中敷シートに使用されているシートを利用することができる。前記シートは、表側の、疎水性繊維を主体とする疎水性不織布と、裏側の、親水性繊維を主体とする親水性不織布の２枚が貼り合わされており、無機粉体としてアルミナ、チタニウム等のセラミック粒を前記親水性不織布に担持させたものである。
【００２４】
前記無機粉体は、エマルジョン型あるいは溶剤型の合成樹脂系接着剤等を含む塗工液に混ぜ、前記親水性不織布の表面に塗布し乾燥硬化させることにより不織布シートに担持させることができる。
【００２５】
この外装シート２は、吸汗性に優れたものであり、しかも、前記無機粉体により、遠赤外線放射機能とともに、抗菌、脱臭機能をも有するものとなっている。また、外装シート２は、エンボス加工により、細かな凹凸模様を形成したものとすることができる。エンボス加工によって、身体への接触具合や感触を良くしたり、通気性を調節することが可能である。
【００２６】
クッション材３は、各種商品の梱包に使用される比較的薄手のクッション性のある発泡ポリエチレン製等のシートとしている。クッション材３は、保温性も兼ね備えていることが望ましい。クッション材３は、円筒状体１の外周面をほぼぴったりと覆う形状、大きさとするとよい。なお、円筒状体１を複数周巻回するものとすることもできる。
【００２７】
光反射材４は、アルミガラスクロス製の折り曲げ可能なシートとしている。光反射材４は銀色とすることが望ましいが、銀色を基調として赤、黄色等に着色されたものとすることもできる。光反射材４は、円筒状体１の両端部を覆う程度の大きさでよい。
【００２８】
次に、上記部材からこの健康器具を作製する工程について説明する。
【００２９】
まず、円筒状体１の外周にクッション材３を装着する。クッション材３は、その裏側に付した接着剤により円筒状体１に固定するとよい。次に、円筒状体１の両端部に反射材を被せる。反射材は、図４に示したように、周縁部を折り曲げてクッション材３の上に重ね、その裏側に付した接着剤により固定するとよい。
【００３０】
そして、この状態のクッション材３及び光反射材４の周縁部の上から、外装シート２を巻いて装着することにより、健康器具が完成する。外装シート２は、円筒状体１を一周して少し余る程度の長さを有しているため、巻き終わりの端部が巻き始めの部分の上に重なるようにして装着される。なお、外装シート２も、その裏側に付した接着剤により固定されたものとすることができる。
【００３１】
次に、この健康器具の使用方法について説明する。
【００３２】
この健康器具は、図５に示したように、手で握って使用することができる。この健康器具は、鉄アレイ等に比べて軽量であり、高齢者や女性、子供等、握力の弱い人も、手首を痛めることなく、手軽に使用することができる。また、手で握ったまま腕を振り回したり、誤って落としたりしてもまわりや自身に危険を及ぼすことがないので、安心して使用することができる。
【００３３】
この健康器具を用いて手指を握ったり開いたりする動作は、使用者の指先の運動になり、脳に刺激を与え、活性化させるので、脳梗塞等で身体の一部が麻痺した看者のリハビリテーション等に有効である。
【００３４】
また、夜間に屋外で歩行やランニングを行いながら使用する場合、自動車のライトや街灯に光反射材４が反射し、目立つので、交通事故等が防止され、安全に運動を行うことができる。
【００３５】
さらに、手で握る以外にも、身体の適宜部位に接触させて多様な使用方法で運動を行うことができる。例えば、肩に張りがあるときは、この健康器具を後首根元に当てて転がすようにして使用するとよい。この運動は、いわゆる四十肩、五十肩等に効果的である。また、頭部や目の周囲、脇、足の付け根（鼠径部）、足裏等に押し付け転がすようにして使用することもできる。
【００３６】
このような運動は、身体のリンパ節やツボを刺激し、さらには外装シートから放射される遠赤外線により、身体が早期に暖まり、新陳代謝や血流が良くなる等の影響があるため、疲労回復や痛みの緩和の効果が得られる。なお、この健康器具を当てる身体の部位や姿勢に応じて、両手で使ったり、片手のみを使ったりすることができる。両手を使う場合は、より強く確実にこの健康器具を身体に押し当てることができ、片手のみを使う場合は、自動車や自転車の運転中でも運動を行うことが可能である。
【００３７】
また、部屋の中で両手にこの健康器具を握り、マラソンランナーのように交互にかかとを浮かしながら両手を振る動作をすると、腹筋等も動くことになり、全身的なトレーニングになるため、子供や高齢者も手軽にダイエットや体力づくりを行うことができる。特に、最近雑巾絞り等の作業を行わなくなって手首の力が弱くなっている子供には、よい運動となる。
【００３８】
さらに、この健康器具は、反射材を設けた端部（左右の側面）が平坦であるため縦置きにすることができるので、鉄アレイのように場所をとることがなく、不使用時においても邪魔にならない。しかも軽量であり、衣服のポケットに収納して持ち歩くことも可能で、好きな時間、場所で運動を実施することができる。
【００３９】
なお、本考案は上記実施形態に限定されず、形状、素材等、適宜構成を変更して実施することが可能である。
【図面の簡単な説明】
【００４０】
【図１】この考案の実施形態の健康器具の斜視図である。
【図２】この考案の実施形態の健康器具の左側面図である。
【図３】この考案の実施形態の健康器具を構成する部材の説明図である。
【図４】この考案の実施形態の健康器具の作製工程において外装シートを装着する前の状態を示す斜視図である。
【図５】この考案の実施形態の健康器具の使用状態を示す斜視図である。
【符号の説明】
【００４１】
１  円筒状体
２  外装シート
３  クッション材
４  光反射材
【図１】
0003121026.tif 000003
【図２】
0003121026.tif 000004
【図３】
0003121026.tif 000005
【図４】
0003121026.tif 000006
【図５】
0003121026.tif 000007